(57)【要約】      （修正有）【課題】付け爪のネイルチップ等に取り付けることによりより、見る者に対して立体的なイメージ等を与えると共にネイルファッションの選択肢を広げることができるネイル用ピアスを提供する。【解決手段】ネイル用ピアス１０はピアス本体１２とネジ部材１４とから構成されている。このピアス本体１２はハート形状に形成され、ピアス本体１２の裏面側１８には有底のメネジ孔２０が形成されている。前記ネジ部材１４の頭部２２にはオネジ部２４が突出されている。このオネジ部２４は前記メネジ孔２０に螺入できるようになっている。前記ネジ部材１２の頭部２２にはドライバー用溝２６が形成されている。【選択図】図１
0003142190.tif 000002
【実用新案登録請求の範囲】
【請求項１】
ピアス本体と、このピアス本体に着脱可能に取り付けられるネジ部材と、を備えてなるネイル用ピアスであって、前記ピアス本体に形成されたネジ孔と、前記ネジ部材に形成されると共に前記ネジ孔に螺入されるネジ部と、を有してなることを特徴とするネイル用ピアス。
【請求項２】
ピアス本体と、このピアス本体に着脱可能に取り付けられるネジ部材と、を備えてなるネイル用ピアスであって、前記ピアス本体の裏面側に形成されたメネジ孔と、前記ネジ部材に形成された頭部と、この頭部に突出されると共に前記メネジ孔に螺入されるオネジ部と、前記頭部に形成されたドライバー用溝と、を有してなることを特徴特徴とするネイル用ピアス。
【考案の詳細な説明】
【技術分野】
【０００１】
本考案は、付け爪のネイルチップ等に取り付けて使用するネイル用ピアスに関する。
【背景技術】
【０００２】
最近、付け爪のネイルチップや爪にペイントで絵柄やデザイン等を描いてお洒落を楽しむネイルファッションが流行している。
しかし、ネイルファッションは上述したように付け爪のネイルチップや爪にペイントで絵柄やデザイン等を描くものがほとんどであり、見る者に対して平面的な印象しか与えずインパクトが小さい。
ところで、従来より身飾品としてピアスが広く知られているが、従来のピアスは主に耳に付けるものであり、付け爪のネイルチップ等に取り付けるピアスは提案されていなかった。
【考案の開示】
【考案が解決しようとする課題】
【０００３】
本考案は、上記事実に鑑みなされたものであり付け爪のネイルチップ等に取り付けることによりより、見る者に対して立体的なイメージ等を与えると共にネイルファッションの選択肢を広げることができるネイル用ピアスを提供するものである。
【課題を解決するための手段】
【０００４】
請求項１の考案は、ピアス本体と、このピアス本体に着脱可能に取り付けられるネジ部材と、を備えてなるネイル用ピアスであって、前記ピアス本体に形成されたネジ孔と、前記ネジ部材に形成されると共に前記ネジ孔に螺入されるネジ部と、を有してなることを特徴としている。
請求項２の考案は、ピアス本体と、このピアス本体に着脱可能に取り付けられるネジ部材と、を備えてなるネイル用ピアスであって、前記ピアス本体の裏面側に形成されたメネジ孔と、前記ネジ部材に形成された頭部と、この頭部に突出されると共に前記メネジ孔に螺入されるオネジ部と、前記頭部に形成されたドライバー用溝と、を有してなることを特徴としている。
【考案の効果】
【０００５】
本考案は、付け爪のネイルチップ等の表面側にネイル本体を取り付けることができるので、見る者に対して立体的な印象を与えることができるという優れた効果を有する。
本考案は、付け爪のネイルチップ等に取り付けて使用するので、ネイルファッションの選択肢を広げると共にネイルファッションを広く楽しむことができるという優れた効果を有する。
【考案を実施するための最良の形態】
【０００６】
考案を実施するために最良の形態の例として以下のような実施例を示す。
【実施例１】
【０００７】
図１〜図３には本考案に係るネイル用ピアスの一実施例が示されている。
図１及び図２に示されるように、実施例のネイル用ピアス１０はピアス本体１２とネジ部材１４とから構成されている。
図３に示されるように、前記ピアス本体１２はハート形状に形成されている。このピアス本体１２の表面側１６には適宜の装飾が施されており（図示せず）、前記ピアス本体１２を見る者に対してピアス本体１２の外観品質を高めることができるようになっている。
図２に示されるように、前記ピアス本体１２の裏面側１８には有底のメネジ孔２０が形成されている。
前記ネジ部材１４の頭部２２にはオネジ部２４が突出されている。このオネジ部２４は付け爪として使用されるネイルチップ１に貫通形成されたネイルチップ貫通孔２に挿入することができると共に前記メネジ孔２０に螺入できるようになっている。
また、前記ネジ部材１２の頭部２２にはドライバー用溝２６が形成されている。従って、図示しないドライバーをこのドライバー用溝２６に入れてドライバーを回転させれば前記ネジ部材１４のオネジ部２４をピアス本体１２のメネジ孔２０に確実に螺入できるようになっている。
【０００８】
実施例のネイル用ピアス１０の作用について説明する。
実施例のネイル用ピアス１０を付け爪のネイルチップ１に着ける場合は、予めネイルチップ１にネイルチップ貫通孔２を貫通形成しておく。
そして、ネイルチップ１の表面側にピアス本体１２を配設してからネイルチップ１の裏面側からネジ部材１４のオネジ部２４をネイルチップ貫通孔２に挿入してドライバーをドライバー用溝２６に入れ、ドライバーを回転させてオネジ部２４をメネジ孔２０に螺入する。
これにより、ピアス本体１２をネイルチップ１の表面側に確実に取り付けた状態でネイル用ピアス１０をネイルチップ１に取り付けることができる。
この結果、ネイル用ピアス１０を取り付けたネイルチップ１を付け爪として付けることにより立体的な装飾の印象を見る者に対して与えることができる。また、これによりネイルファッションの選択肢を広げることができると共にネイルファッションをより広く楽しむことができる。
なお、ネイル用ピアス１０をネイルチップ１から取り外す場合はドライバーをネジ部材１４のドライバー用溝２６に入れて取り付ける場合と反対方向に回せば簡単にネイル用ピアス１０を取り外すことができる。
【０００９】
なお、実施例ではネイル用ピアス１０を付け爪としてのネイルチップ１に取り付けた場合を示したが、これに限定されるものでなく例えば長く伸ばした爪の先端部等にネイル用ピアス１０を取り付けてもよいことは勿論である。
また、実施例ではハート型のネイル本体１２を示したが、前記ネイル本体１２の形状は実施例に示したハート型のものに限定されるものでないことは勿論である。
なお、前記ピアス本体１２の表面側１６にダイヤモンドやエメラルド等の貴石を設けるようにすれば、前記ネイル用ピアス１０に対して一層高級な印象を見る者に対して与えることができる。
【図面の簡単な説明】
【００１０】
【図１】実施例のネイル用ピアスの全体斜視図である。
【図２】実施例のネイル用ピアスを取り付ける場合の作用説明図である。
【図３】実施例のネイル用ピアスを取り付けたネイルチップの正面図である。
【符号の説明】
【００１１】
１０    ネイル用ピアス
１２    ピアス本体
１４    ネジ部材
１６    表面側
１８    裏面側
２０    メネジ孔
２２    頭部
２４    オネジ部
２６    ドライバー用溝
【図１】
0003142190.tif 000003
【図２】
0003142190.tif 000004
【図３】
0003142190.tif 000005